(57)【要約】【解決手段】ダイヤルにニードルを備えた、男性ソックス用サーキュラー編み機であって、ダイヤルニードルを選択的に移動させて、その選択されたダイヤルニードルをステッチの形成に従事させ且つ選択されなかったダイヤルニードルをステッチの形成から除外させることの可能なダイヤルニードルセレクター機構を有している。更に、この編み機は、シリンダーからダイヤルへステッチの移送を繰り返し実施することができる。また、この編み機は、形成されたソックスを引っ張るための機械的牽引機構を備えている。更に、この編み機は、セレクターロッドの変形を規制し且つアクチュエーターに及ぼされる不都合な影響又はステッチの形成における欠点を低減させる手段を有している。
2011528408.tif 000002
【特許請求の範囲】
【請求項１】
男性ソックスの製造用のサーキュラー編み機であって。
制御可能な態様で回転軸を中心として回転し、外表面に複数の軸線方向の溝を有するシリンダーと、
前記シリンダーの前記軸線方向溝に沿ってスライド可能に支持された複数のシリンダーニードルと、
下限位置と、下限位置よりも軸線方向で高い位置である上限位置との間で前記複数のシリンダーニードルを代わる代わる異なった方向へ並進させることの可能な、シリンダーニードルを移動させるための駆動機構と、
前記シリンダーを同軸的に取り囲んで、複数のクラウン溝を備えた固定外部クラウンと、
前記クラウン溝に沿ってスライド自在に保持された複数のシンカーと、
後方限度位置と、その後方限度位置よりも放射方向内側に位置する前方限度位置との間で前記シンカーを代わる代わる異なった方向へ並進させることの可能な、シンカーを移動させるための駆動機構と、
前記シリンダーと同軸的に前記シリンダー上に載置されるように配置され且つコマンドに従って前記シリンダーの回転軸を中心として回転するよう構成され、前記シリンダーの外側面の内部で放射方向に伸びた複数の放射方向溝を有するダイヤルと、
前記ダイヤルに接続されて前記ダイヤルを引きずり回転させるダイヤルシャフトと、
前記ダイヤルの前記放射方向溝に沿ってスライド自在に保持された複数のダイヤルニードルと、
前記ダイヤルニードルと係合して、後方限度位置と、その後方限度位置よりも放射方向外側の位置である前方限度位置との間で前記複数のダイヤルニードルを代わる代わる異なった方向へ並進させることの可能な、ダイヤルニードルを移動させるための駆動機構と、
ソックスを作るための少なくとも一つのヤーンを供給することの可能な少なくとも一つのヤーンフィンガーと、
前記ダイヤルニードルを選択的に移動させて、前記ダイヤルニードルを、解放位置から、当該ダイヤルニードルが前記ダイヤルニードルを移動させるための前記駆動機構によって係合される係合位置へ並進させて、その選択されたニードルを前記ソックスを構成するステッチの形成に従事させ、選択されなかったニードルを前記ステッチの形成から除外することの可能なダイヤルニードルセレクター機構を有し、
前記シリンダーニードルと前記ダイヤルニードルと、前記シンカーが協働して前記ヤーンをより合わせて、前記ステッチを形成するよう構成されている編み機。
【請求項２】
前記セレクター機構が、コマンドに従って揺動して前記ダイヤルニードルの少なくとも幾つかを選択するよう前記ダイヤルニードルと係合可能な複数のセレクターロッドを有している、請求項１に記載の編み機。
【請求項３】
前記セレクター機構が、前記セレクターロッドの少なくとも幾つかを選択的に移動させて前記ダイヤルニードルを選択することの可能な選択コマンド機構を有している、請求項２に記載の編み機。
【請求項４】
前記選択コマンド機構が、突出するよう選択的に命令されて前記セレクターロッドの少なくとも一つを移動させる複数のアクチュエーターレバーを有している、請求項３に記載の編み機。
【請求項５】
前記セレクターロッドが、前記ダイヤルニードルの少なくとも一つと係合可能な係合端部で終端している係合部と、前記係合部に接続されて、前記アクチュエーターレバーの少なくとも一つによって係合可能なように伸びたコマンド部を有している、請求項４に記載の編み機。
【請求項６】
前記セレクターロッドの各々の前記コマンド部が、前記シリンダーの前記回転軸に対して外側に突出したボスを有し、前記複数のセレクターロッドの前記ボスが、相互に互い違いに配置され、前記複数のアクチュエーターレバーが前記ボスに対応して交互に互い違いに配置されて、一つのアクチュエータレバーが前記複数のセレクターロッドの幾つかとのみ係合することが可能に構成されている、請求項５に記載の編み機。
【請求項７】
前記ボスと前記アクチュエーターレバーとが、軸線方向で交互に互い違いになっている、請求項６に記載の編み機。
【請求項８】
前記複数のダイヤルニードルが、ステッチを形成するための編み加工部と、前記ダイヤルニードルを移動させるための前記駆動機構と係合可能な移動部を有し、前記複数のダイヤルニードルの前記移動部が軸線方向で互い違いになっている、請求項１〜７の何れか一項に記載の編み機。
【請求項９】
前記移動部が二つの異なった高さで配置されている、請求項８に記載の編み機。
【請求項１０】
前記シリンダーニードルの数が前記ダイヤルニードルの数と同じである、請求項１〜９の何れか一項に記載の編み機。
【請求項１１】
前記回転軸と同軸的に前記ダイヤル上に載置されるように配置されたアップツイスターを有し、ダイヤルニードルを移動させるための前記駆動機構が複数のカムを有し、これらカムが、前記アップツイスターと前記ダイヤルとの間で前記アップツイスター上に設けられている、請求項１〜１０の何れか一項に記載の編み機。
【請求項１２】
前記アップツイスター上に配置されてヤーンを切断することの可能な切断装置を有している、請求項１〜１１の何れか一項に記載の編み機。
【請求項１３】
前記シリンダーニードルが、
ａ）シリンダーニードルを移動させるための前記駆動機構によってスライドさせられる下端と、前記ダイヤルニードルと前記シンカーと係合してステッチを形成することの可能な上端との間で前記回転軸に沿って伸びているスピンドルと、
ｂ）前記スピンドルの前記上端に設けられたフックとタブと、
ｃ）前記下限位置と前記上限位置との間の移動中に形成されたステッチと係合可能な移送ボスを有し、
前記タブが、ヤーンのためのスペースを形成するためにフックを開閉成可能なようにヒンジポイントでスピンドルに旋回自在に支持され、
前記移送ボスが、前記ヒンジポイントの下方で前記スピンドルから外側へ突出し、
前記移送ボスが、前記シリンダーニードルの上限位置において、前記ダイヤルニードルの編み加工端部上に位置してステッチを前記シリンダーから前記ダイヤルへ移送させることの可能なように、前記スピンドルに沿って配置されている、請求項１〜１２の何れか一項に記載の編み機。
【請求項１４】
前記シリンダーニードルの各々が、前記スピンドルの下端に設けられた第一のヒールと、前記第一のヒールと前記移送ボスとの間に設けられて、前記シリンダーニードルを前記上限位置まで上昇させるように、シリンダーニードルを移動させるための前記駆動機構によって係合されることの可能な第二のヒールを有している、請求項１３に記載の編み機。
【請求項１５】
シリンダーニードルを移動させるための前記駆動機構が、前記シリンダーニードルの下方で、関連するシリンダー溝内に配置された少なくとも一つのジャックを有している、請求項１〜１４の何れか一項に記載の編み機。
【請求項１６】
前記シリンダーの放射方向外側に同軸的に配置されたドラムを有し、
シリンダーニードルを移動させるための前記駆動機構が、同一のシリンダー溝内に上下に配置された二つのジャックと、複数のカムユニットを有し、
前記カムユニットのうちの第一のカムユニットが、前記シリンダーニードルを並進させるために前記シリンダーニードルと係合可能に構成され、残りのカムユニットが、前記ジャックを並進させるために前記ジャックと係合可能に構成されている、請求項１５に記載の編み機。
【請求項１７】
シリンダーニードルを移動させるための前記駆動機構が、前記移送ボスが前記ダイヤルニードルの前記編み加工端部上に位置するように、前記シリンダーニードルを前記上限位置まで上昇させるのに十分急勾配となった少なくとも一つのカムを有している、請求項１３に記載の編み機。
【請求項１８】
前記シリンダーの内部が空洞に形成され、前記編み機が、前記シリンダーの上端部から底部まで吸引されて、形成されたソックスを下方へ引っ張る空気流を発生させることの可能な吸引牽引機構を有している、請求項１〜１７の何れか一項に記載の編み機。
【請求項１９】
形成されたソックスを機械的に把持することにより当該ソックスに引っ張り効果を及ぼすことのできる機械的牽引機構を有している、請求項１〜１８の何れか一項に記載の編み機。
【請求項２０】
前記シリンダーの内部に配置されて前記シリンダーと一緒に回転する吸引チューブと、
前記吸引チューブの内部に配置されて、吸引チューブと一緒に回転すると共に吸引チューブ内で並進可能な筒状ブッシュと、
前記ブッシュを軸線方向へ移動させるための駆動機構と、
前記ブッシュ内の前記吸引チューブの内部へ並進可能で、形成されたソックスの少なくとも一部を前記ブッシュに押し付けて機械的に締め付けるような解放自在な把持要素を構成するように命令を受けることの可能な把持装置を有している、請求項１９に記載の編み機。
【請求項２１】
ダイヤルシャフト内に軸線方向へスライド字際に配置されて、前記把持装置に接続されたスピンドルを有している、請求項２０に記載の編み機。
【請求項２２】
前記スピンドルが、圧搾空気を把持装置へ供給するための給気チャネルを形成するために穴が形成されている、請求項２１に記載の編み機。
【請求項２３】
前記把持装置がスピンドルと共に回転するよう構成されている、請求項２１又は２２に記載の編み機。
【請求項２４】
前記把持装置が、前記把持要素を構成する可撓性・膨脹可能な壁を有している、請求項２０〜２３の何れか一項に記載の編み機。
【請求項２５】
前記把持装置が、前記把持要素を構成する複数の可動ピストンを有している、請求項２０〜２３の何れか一項に記載の編み機。
【請求項２６】
前記吸引牽引機構と前記機械的牽引機構とが、同期的機能を発揮するように作動的に接続されている、請求項１８と請求項１９〜２５の何れか一項に記載の編み機。
【請求項２７】
前記セレクター機構が、前記セレクターロッドの少なくとも一部と係合可能なセレクターカムを有し、そのセレクターカムが、前記セレクターロッドの前記一部と係合して、前記ダイヤルニードルと、前記カムと係合しているセレクターロッドの前記一部との間の作動に対抗するアバットメントを構成する、請求項１〜２６の何れか一項に記載の編み機。
【請求項２８】
前記セレクター機構が、ワンピースとして形成されたセレクターロッドと、ダイヤル近くに配置されたセレクターカムを有している、請求項２７に記載の編み機。
【請求項２９】
前記セレクターロッドが、下端部に設けられたフットと、バネ付きヒンジで枢着された長尺部を有し、前記長尺部が、その上端部で前記アクチュエーターのアクチュエーターレバーで駆動され、下端部で前記フットに接続されて、前記フットが前記長尺部から放射方向内側へ突出している、請求項２８に記載の編み機。
【請求項３０】
前記フットが、前記ダイヤルニードルに作動可能なノーズと、前記セレクターロッドを揺動させるために前記セレクターカムと係合可能な切欠きを有し、前記切欠きが、前記ノーズの基部近くで、アクチュエーターレバーとの係合領域からは離れた場所に配置されている、請求項２９に記載の編み機。
【請求項３１】
前記セレクターロッドが、前記切欠きが前記セレクターカムと係合するのに好適な位置を占める一方、前記ノーズが前記ダイヤルニードルから離間するように、前記アクチュエーターによって第一の揺動をさせられ、且つ、前記ノーズが前記ダイヤルニードルに作用するように前記第一の揺動と一致した方向へ前記セレクターカムによって第二の揺動をさせられるように構成されている、請求項２７〜３０の何れか一項に記載の編み機。
【発明の詳細な説明】
【技術分野】
【０００１】
本発明は、ダイヤルにニードルを備えたタイプの、男性ソックス用のサーキュラー編み機（ｃｉｒｃｕｌａｒ  ｋｎｉｔｔｉｎｇ  ｍａｃｈｉｎｅ）に関するものである。
【背景技術】
【０００２】
公知のように、男性ソックス用のサーキュラー編み機は、単一シリンダーを備えたタイプのものと、ダブルシリンダーを備えたタイプのものとに主として大別することができる。
【０００３】
単一シリンダーを備えたタイプの編み機は、簡単な機能システムを有し、安価に製造及びメインテナンスすることができるが、ダブルシリンダーを備えたタイプのものと相違して、或る種のステッチ（ｓｔｉｔｃｈ）を再現することができない。
【０００４】
ダイヤルにニードルを備えた単一シリンダータイプの編み機は、簡単な単一シリンダー編み機と比較して広範囲な編みを実施することができるが、ダブルシリンダー編み機で可能なあらゆる種類の編みを実施することはできない。
【０００５】
然しながら、多色デコレーションパターンを有するニット地の製造に関連するような或る種の製造においては、着色されたヤーンを切断することが必要とされ、それは、単一シリンダータイプの編み機がシリンダーの上にカッターを備えているために、単一のシリンダータイプの編み機においてのみ可能である。
【発明の概要】
【発明が解決しようとする課題】
【０００６】
本発明は、広範な範囲の編み処理を可能にして、この種の編み機の利点を維持しつつ上述の欠点を克服することを可能にさせる、ダイヤル上にニードルを備えた、男性ソックス用サーキュラー編み機を提供することを目的とする。
【課題を解決するための手段】
【０００７】
この目的は、特許請求の範囲の請求項１に記載の、ダイヤル上にニードルを備えた単一シリンダー編み機によって達成される。請求項１に従属する請求項には、本発明による編み機の様々な実施形態が記載されている。
【０００８】
本発明による編み機の特徴及び利点については、添付図面を用いて後述した、本発明を何ら限定するものではない実施形態についての説明を参酌することにより明らかになるであろう。
【図面の簡単な説明】
【０００９】
【図１】図１は、本発明の一実施形態に係る編み機の断面図である。
【図２】図２は、図１に示した編み機のセレクターロッドの端部を示した図である。
【図３】図３は、ダイヤルニードルを動かすための機構を含んだ、図１に示した編み機のアップツイスターを示した図である。
【図４ａ−４ｆ】図４ａ〜４ｆは、一つのソックスの製造中にステッチをシリンダーからダイヤルへの移送を繰り返し実施することの可能な、本発明の実施形態の変形例に係る編み機の一連の編み加工処理を示した図である。
【図５−６ｂ】図５，６ａ及び６ｂは、本発明による実施形態の別の変形例に係る編み機を示した図である。
【図７ａ−１１ｂ】図７ａ，７ｂ，８，９，１０ａ，１０ｂ，１１ａ及び１１ｂは、本発明による実施形態の更に別の変形例に係る編み機を示した図である。
【発明を実施するための形態】
【００１０】
添付図面を参照すると、本発明による、男性ソックスを製造するためのサーキュラー編み機全体が参照符号１で示されている。
【００１１】
茲で、「男性ソックス用編み機」とは、ステッチ（ｓｔｉｔｃｈ）の寸法に対する、用いられる糸又はヤーンの公称寸法の割合が、高レベルのカバー範囲（ｃｏｖｅｒａｇｅ）を備えた、換言すると、典型的な婦人ストッキングのシームレスと反対の特徴を備えたニット地を作り出しているような製品を生産することのできるようなタイプの、靴下類用編み機を意味する。換言すると、用語「男性ソックス」とは、製造された製品の固有の特性に係るもので、その製品の現実の使用に係るものではない。
【００１２】
編み機１は、中空のシリンダー２を有し、そのシリンダー２は、回転軸Ｘを中心に制御可能な態様で回転することができ、その外表面に複数の軸線方向の溝４を有している。
【００１３】
また、編み機１は、シリンダー２の軸線方向溝４に沿ってスライド可能なように保持された複数のシリンダーニードル６を有している。
【００１４】
更に、編み機１は、シリンダー２と同軸的にシリンダー２の外部に配置されたドラム（図示せず）を有し、このドラムはシリンダーの回りを回転することができるように構成されている。
【００１５】
また、編み機１は、シリンダーニードルを移動させるための駆動機構を有し、この機構は、シリンダーニードル６を、下限位置と下限位置よりも軸線方向で高い位置である上限位置との間を交互に並進させることができるよう構成されている。
【００１６】
駆動機構は、ドラムに連結された複数のカムを有し、これらカムは、シリンダーニードルと確実に係合して必要に応じてシリンダーニードルを昇降動させる作動面を有している。
【００１７】
更に、編み機１は、シリンダー２を同軸的に取り囲んでいる固定外部クラウン８（ｆｉｘｅｄ  ｅｘｔｅｒｎａｌ  ｃｒｏｗｎ）を有し、この外部クラウン８は、回転軸Ｘに対して放射方向に位置した複数のクラウン溝１０を有している。
【００１８】
加えて、編み機１は、クラウン溝１０に沿ってスライド可能に保持された複数のシンカー（ｓｉｎｋｅｒ）１２と、それらシンカー１２を後方限度位置と後方限度位置よりも放射方向内側の位置である前方限度位置との間を交互に並進させることの可能な駆動機構を有している。
【００１９】
更に、編み機１は、シリンダー２上に同軸的に載置されるように配置されたダイヤル１４を有し、そのダイヤル１４はシリンダー２の回転軸Ｘを中心にして回転できるようになっている。
【００２０】
より詳しくは、編み機１は、回転軸Ｘに沿って伸びてダイヤル１４上に載置されたダイヤルシャフト１５を有し、このダイヤルシャフト１５は、ダイヤル１４を回転させるためにダイヤル１４の下端に連結され、ダイヤルシャフトの他端はモータを備えた手段に係合されている。
【００２１】
ダイヤル１４は、例えば、シリンダーニードルと同数の複数のダイヤルニードル１８に加えて、放射方向に伸びてシリンダー２の外表面の仮想の軸線方向延長線の内側内に形成された放射方向溝１６を有している。ダイヤルニードル１８は、ダイヤル１４の放射方向溝１６に沿ってスライド可能なように保持されている。
【００２２】
更に、編み機１は、ダイヤルニードル１８を移動させるための駆動機構を有している。この駆動機構は、ダイヤルニードルと係合して、ダイヤルニードルを、後方限度位置と後方限度位置よりも放射方向外側の位置である前方限度位置との間を交互に並進させることができるように構成されている。
【００２３】
例えば、編み機１は、ダイヤル１４の上に同軸的に固定配置された環状カバー２０を有し、ダイヤルニードルを移動させるための駆動機構は、カバー２０に取り付けられた複数のカム２２を有し、それ故、ダイヤルが回転させられると、カム２２がダイヤルニードルと係合してダイヤルニードルを放射方向へ並進させる。
【００２４】
加えて、編み機１は、ソックスを製造するための少なくとも一つのヤーンを供給することのできる少なくとも一つのヤーン−フィンガー（図示せず）を有している。
【００２５】
シリンダーニードル６とダイヤルニードル１８とシンカー１２は協働してヤーンをより合わせて、ソックスを構成するステッチを形成する。
【００２６】
更に、編み機１は、ダイヤルニードルセレクター（ｄｉａｌ  ｎｅｅｄｌｅｓｅｌｅｃｔｏｒｓ）を有している。このダイヤルニードルセレクターは、ダイヤルニードルを選択的に移動させて解除位置から係合位置へと並進させることができるよう構成されている。その係合位置においてダイヤルニードルがダイヤルニードルを移動させるための駆動機構と係合させられて、選択されたニードルがステッチの形成に従事させられ、選択されなかったダイヤルニードルは排除される。
【００２７】
換言すると、ダイヤルニードルを移動させるための駆動機構は、ダイヤルニードル、特に、ダイヤルニードルのヒール（ｈｅｅｌ）が、所定の放射方向位置即ち係合位置の外側にある時にのみ作動機能を発揮するが、ダイヤルニードル即ちダイヤルニードルのヒールが所定の放射方向位置の内側にある時は、ダイヤルニードルを移動させるための駆動機構は、非作動、換言すると、ダイヤルニードルと係合することができない。
【００２８】
ダイヤルニードルセレクターは、ダイヤルニードル１８を選択的に（即ち、ダイヤルニードル１８の幾つかだけ又は全て）を並進させることができるので、その選択されたダイヤルニードルは、ダイヤルニードルを移動させるための駆動機構によって係合させられることができる。
【００２９】
本発明の好ましい実施形態によれば、セレクターは、命令に従って振動する複数のセレクターロッド３０を含んでいて、これらセレクターロッド３０は、ダイヤルニードル１８の幾つかをセンタするようにダイヤルニードルと係合することができる。
【００３０】
これらセレクターロッド３０は、好ましくは、ダイヤルニードルと同数採用されていて、シリンダー２とダイヤルの上に配置され、シリンダー２の回転軸線Ｘを中心としてリング状に配列されている。
【００３１】
セレクターロッド３０は、ダイヤルニードル１８の少なくとも一つと係合可能な係合端３２ａにおいて終端している係合部３２を有しているのが好ましい。
【００３２】
ダイヤル１４の上に配置された環状アップツイスター（ｕｐｔｗｉｓｔｅｒ）２０は、ダイヤルニードル即ちダイヤルニードルのヒールまで伸びた係合部３２の係合端３２ａによって特に用いられる開口２０ａを有している。
【００３３】
更に、セレクターロッド３０は、係合部３２に接続されたコマンド部３４を有している。各ロッド３０のコマンド部３４は、シリンダー２の回転軸線に対して外方へ突出したボス３６を有している。複数のロッド３０のこれらボス３６は、互いに比較すると、例えば、軸線方向で互いにずれている（図２）。
【００３４】
好ましくは、セレクターは、対応のダイヤルニードルを選択するためにロッド３０の少なくとも一つを選択的に移動させることのできる選択コマンド装置を含んでいる。
【００３５】
例えば、選択コマンド装置は、複数のアクチュエーターレバー４０を含んでいる。これらアクチュエーターレバー４０は、選択的に命令されて突出して、ロッド３０のボス３６と同様に軸線方向に互いにずれて、複数のロッド３０の一つのボス３６と係合し、そのロッドを振動させてダイヤルニードルを選択することができるよう構成されている。
【００３６】
好ましくは、ダイヤルニードル１８は、ステッチを形成するための編み部と、ダイヤルニードルを移動させるための駆動機構と係合可能な移動部を有している。
【００３７】
本発明の一実施形態によれば、複数のダイヤルニードルの移動部は、シリンダーニードルの数と同じ数のダイヤルニードルをダイヤル上に放射方向に配列させることを可能にさせるために、軸線方向で、例えば、二つの異なった高さを持ってずれている。
【００３８】
好ましくは、編み機１は、アップツイスター２０の上に配置されてヤーンを切断することの可能な切断装置を更に有している。
【００３９】
本発明の別の実施形態によれば、シリンダーニードル６は、ａ）シリンダーニードルを移動させるための駆動機構によって作用させられる下端（ヒール）５０ａと、ダイヤルニードル１８とシンカー１２と係合してステッチを形成することの可能な上端５０ｂとの間で回転軸線Ｘに沿って伸びているスピンドル５０と、
ｂ）スピンドル５０の上端５０ｂに設けられたフック及びタブと、
ｃ）スピンドル５０から外方へ突出した移送ボス６０を含んでいる。タブは、ヤーンのためのスペースを形成するためにフックを開閉成可能なようにヒンジポイントでスピンドル５０に旋回自在に支持されている。移送ボス６０はタブのヒンジポイントの下方に配置されて、上限位置と下限位置との間の移動中にステッチと係合することができるよう構成されている。
【００４０】
移送ボス６０は、シリンダーニードルの上限位置において、ダイヤルニードル１８の加工端の上に位置してステッチをシリンダー２からダイヤル１４へ移送することができるように、スピンドル５０に沿って配置されている（図４ｄ）。
【００４１】
好ましくは、シリンダーニードル６は、スピンドル５０の下端に設けられた第一のヒール５０ｂと、第一のヒール５０ｂと移送ボス６０との間に配置された第二のヒール５０ｃを有している。第二のヒール５０ｃは、シリンダーニードルを移動させるための駆動機構によって係合されて、シリンダーニードル６を上限位置まで移動させ、及び、ステッチをシリンダーニードルからダイヤルニードルへ移送させるのに最適な位置までシリンダーニードル６を上昇させることができる。
【００４２】
好ましくは、シリンダーニードルを移動させるための駆動機構は、少なくとも一つのジャック（ｊａｃｋ）を有し、シリンダーニードルの下方のシリンダー２の軸線方向溝４内に配置されている。
【００４３】
特に、本発明に係る実施形態の一変形例によれば、シリンダーニードルを移動させるための駆動機構は、シリンダー２の同一の軸線方向溝４内で上下に配置された二つのジャック７０，８０を有している。
【００４４】
更に、シリンダーニードルを移動させるための駆動機構は、ドラムに連結された複数のカムユニットを有し、第一のカムユニット９０は、並進のためにシリンダーニードル６にのみ係合することができ、別のカムユニット１００，１１０は並進のためにジャック７０，８０と係合することができる（図４ａ）。
【００４５】
本発明に係る実施形態の別の変形例によれば、シリンダーニードルを移動させるための駆動機構は、ステッチをシリンダーからダイヤルへ移送させるための位置までシリンダーニードルを上昇させることの可能な極端に急勾配になったカムを有している。
【００４６】
好ましくは、編み機１は、牽引のための吸引手段を更に有している。この吸引手段は、ダイヤルが載置されている中空シリンダー２の上部から底部に向けてシリンダー２内に吸引される空気流によって、製造されたソックスに引っ張り効果を及ぼすことができるように構成されている。
【００４７】
より詳述すると、この吸引手段は、シリンダー２内に挿入されてシリンダー２と一緒になって回転する吸引チューブ１２０を含んでいる。この吸引チューブ１２０は、ダイヤル１４の真下に位置するシリンダー２の上部からシリンダーの底部まで伸びている。
【００４８】
特に、チューブ１２０は、円錐状壁を形成するようにシリンダー２の壁上で外方へ折り返された上端部１２２を有している。チューブ１２０のこの上端部１２２は、円錐台状に形成されてチューブ１２０の上端部１２２から軸線方向で離間したダイヤル１４の底部と一緒になって、環状のエントランスチャネル１２４を形成している。そのエントランスチャネル１２４から、製造されたソックスがチューブ１２０内に入って、吸引に晒される。
【００４９】
本発明に係る実施形態の変形例によれば、編み機１は、機械的牽引手段を有している。この機械的牽引手段は、製造されたソックスを機械的に把持して、シリンダー２の底部に向けて引っ張ることによりソックスに引っ張り効果を及ぼすことができるよう構成されている。
【００５０】
換言すると、この機械的牽引手段は、製造されたソックスを機械的に摘まんで、シリンダーの底部方向へ引っ張って、必要に応じてソックスをぴんと張った状態に維持させることができる。
【００５１】
機械的牽引手段は、吸引チューブ１２０内に配置された一つの筒状ブッシュ２００を含んでいる。この筒状ブッシュ２００は、（シリンダー２と一緒に回転する）チューブ１２０と共に回転するが、チューブ１２０内で軸線方向へスライドするよう構成されている。
【００５２】
例えは、ブッシュ２００は、ブッシュの外側に配置されてチューブ１２０と係合するタブによってチューブ１２０に取り付けられる。そのタブの構造に関する実施形態としては、ブッシュを回転させるように引っ張るが、ブッシュ２００のチューブ１２０内での軸線方向のスライドを許容するような構成のものである。
【００５３】
従って、ブッシュ２００は、上限位置から下限位置へとスライド移動することができる。
【００５４】
好ましくは、ブッシュ２００の上端部は円錐台状の面２０２を有するように形成されているので、ブッシュ２００が上限位置にある時に、円錐台状面２０２が、製造されたソックスがブッシュの内部に下降するのに何ら妨げとならない、チャネル１２４の延長部を構成する。
【００５５】
より詳述すると、円錐台状面２０２は、チューブ１２０の上端部１２２の理想的な延長線上に主として位置している。
【００５６】
更に、好ましくは、機械的牽引手段は、ブッシュ２００を上限位置と下限位置との間を移動させることのできる、ブッシュを移動させるための機構（図示せず）を有している。
【００５７】
ブッシュを移動させるための機構は、例えば、シリンダー−ピストンシステム、好ましくは、空気圧式シリンダー−ピストンシステムを含んでいる。
【００５８】
機械的牽引手段は、吸引チューブ内を並進可能な把持装置２０４を含んでいる。その把持装置は、製造されたソックスの少なくとも一部をブッシュ２００に対して引っ張って機械的に把持するような可動把持素子を形成するように構成することができる。
【００５９】
本発明の一実施形態によれば、把持装置２０４は、ブッシュ２００内に配置された可撓性・膨脹可能な環状壁２０６と、その環状壁２０６が気密な態様で接続された支持本体２０８を有している。
【００６０】
環状壁２０６は膨脹可能であるため、膨脹して、その場合には、単独で、製造されたソックスの一部をブッシュ２００に対して押し付けて把持させる把持素子を構成する。
【００６１】
本発明の別の実施形態によれば、把持装置２０４は、複数のスライドピストン２１０と、それらスライドピストン２１０が放射方向へスライド自在に支持された支持本体２１２を有している（図６ａ及び図６ｂ）。
【００６２】
ピストン２１０はスライド自在になっているので、ピストン２１０は、支持本体２１２から外方へ出て、製造されたソックスの一部をブッシュ２００に押し付けて把持させる把持素子を構成する。
【００６３】
好ましくは、把持装置２０４は、ピストン２１０がブッシュと係合して、製造されたソックスを把持する前方位置からピストンを後方位置へ自動的に戻すための戻し手段を含んでいる。
【００６４】
例えば、その戻し手段は、ピストンに対して同心的に配置されてピストンのヘッドに係合された弾性部材２１４を含んでいる。
【００６５】
更に、機械的牽引手段は、ダイヤルシャフト１５内に配置されたスピンドル３００を有し、このスピンドル３００は、軸線方向にスライド自在で、ダイヤルシャフト１５とは無関係に回転し、底部で把持装置２０４、即ち、把持装置の支持本体２０８，２１２に連結されている。
【００６６】
より詳述すると、ソックスの製造中にスピンドル３００は回転軸線Ｘを中心として回転しない一方、把持装置２０４は回転軸線Ｘを中心として回転して、製造されたソックス及びブッシュ２００の自然な回転を調節するという点において、把持装置２０４は、専用のベアリングによってスピンドル３００と一緒に旋回する。
【００６７】
好ましくは、機械的牽引手段は、スピンドル３００が把持装置２０４の上限位置に対応する上限位置にある時とスピンドル３００が把持装置２０４の下限位置に対応する下限位置にある時に、夫々、位置信号を発することのできる一対のポジションセンサーを有している。
【００６８】
好ましくは、スピンドル３００は、圧縮空気を把持装置２０４、特に、把持装置２０４の支持本体２０８，２１２に送って、可撓性壁２０６を膨脹させ、又は、ピストン２１０を後方位置から前方把持位置まで移動させるための空気供給チャネル３０２を備えている。この空気供給チャネル３０２は、例えば、軸線方向の穴にて構成されている。
【００６９】
空気供給のために穴が形成されたスピンドルは、圧縮空気を把持装置２０４へ供給することのできる空気供給機構の一実施形態を構成しているが、例えば、これに代えて、空気供給機構は、把持装置２０４に接続された可撓性チューブを有しているものであってもよい。
【００７０】
本発明の好ましい実施形態によれば、吸引牽引機構は、同期機能を発揮するように、機械的牽引機構と作動的に接続されている。
【００７１】
より詳述すると、ソックスの製造の初め、即ち、アンクルバンド（ａｎｋｌｅ  ｂａｎｄ）の形成に対応する初期状態における編み機の通常の機能中に、ブッシュ２００は、ブッシュを移動させる駆動機構によって上限位置へ移動させられている。把持装置２０４は、スピンドル３００によって上限位置へ移動させられていて、従って、ブッシュ２００内に位置している。
【００７２】
ソックスの製造が開始されて、空気牽引機構が駆動すると、既に製造されたソックスの一部がチャネル１２４を通ってブッシュ２００内に入って、空気流によって下方へ吸引される。
【００７３】
形成された、アンクルバンドの長さよりも短い所定長さのソックス部分が把持装置２０４とブッシュ２００との間に位置して、機械的牽引機構が駆動させられる。
【００７４】
より詳述すると、圧縮空気がスピンドル３００を介して供給される。
【００７５】
そのバリエーションに応じて、可撓性壁２０６が膨脹して、既に形成されたソックスの一部をブッシュ２００に対して押し付けて機械的に拘束させ、又は、ピストン２１０が外方へ並進して、既に形成されたソックスの一部をブッシュ２００に対して締め付ける。
【００７６】
空気牽引機構は非駆動状態にされ、ブッシュを移動させる機構は下限位置につく。
【００７７】
ソックスの製造を続けると、スピンドル３００によって移動させられた把持装置２０４が下方へ並進して、ブッシュ２００を引っ張る。
【００７８】
こうして、スピンドル３００の有効なストロークに少なくとも相当する長さのソックスの一部を作ることができる。
【００７９】
スピンドル３００が下限位置に達した時に、ポジションセンサーによって発せられる位置信号に応じて吸引牽引機構が再駆動させられ、ステッチを形成している要素が停止され、可撓性壁が萎み又はピストンが後方位置へ戻されるように空気供給機構が非駆動状態にさせられ、把持装置２０４がスピンドル３００によって上限位置に戻され、ブッシュ２００がブッシュを移動させる駆動機構によって上限位置に戻され、可撓性壁が膨脹し又はピストンが前方位置へ戻って製造されたソックスをブッシュに対して再び押し付けるように空気供給機構が再び起動され、吸引牽引機構が非作動状態にされ、ステッチを形成する要素が再駆動させられて、ソックスの製造が再開される。
【００８０】
この機能的な方法は、明らかに、ソックスのレッグ、バック及びつま先部分がスピンドル３００の有効なストロークよりも長い場合に有益である。
【００８１】
斬新なことに、本発明による編み機は、ダイヤルニードルの幾つかをステッチ形成処理に従事させ或いはその従事から除外させることを可能にして、可能な編み処理の範囲を拡大させる。
【００８２】
有益なことに、本発明による編み機は、更に、ステッチをシリンダーからダイヤルへ及びダイヤルからシリンダーへ移動させることでステッチ形成処理を実施することが可能で、一つのソックスの製造中にステッチを必要に応じて繰り返し移動させる場合であっても、その繰り返し移動によってステッチ形成処理を実施することができる。
【００８３】
そのような有益な面によれば、シリンダーニードルを移動させるための駆動機構は、ステッチをシリンダーニードルからダイヤルニードルへ移送するのに最適な高さまでシリンダーニードルを上昇させるのに必要な軸線方向のスペースの問題を除去することを可能にさせる。
【００８４】
推測することができるように、本発明による編み機は、ダブルシリンダー編み機が実施することができる種類の編み加工を含むような広範な範囲の編み加工を実施することができる。
【００８５】
有益なことに、本発明による編み機は、更に、皺が寄り易いステッチの編み加工であってもソックスをぴんと引っ張った状態に維持させるように、男性ソックス用の公知の単一シリンダータイプの編み機よりも強く、製造されたソックスを引っ張ることを可能にする。
【００８６】
本発明に係る実施形態の一変形例によれば、ダイヤルニードルセレクターは、セレクターロッド３０と、例えば、アクチュエーターレバー４０を備えたアクチュエーター３０２のような選択コマンド機構との間に配置された中間のセレクターカム５００を有している（図７ａ及び図７ｂ）。
【００８７】
更に、ダイヤルニードルセレクターは、セレクターロッド３０毎に一つ設けられた、複数の中間セレクターレバー３０４を有し、それら中間セレクターレバー３０４は、放射方向に、例えば、セレクターロッド３０の外側に配列されている。
【００８８】
好ましくは、中間セレクターレバー３０４は、振動してアクチュエーター３０２のアクチュエーターレバー４０と当接するように、クラウン３０６にバネ付きヒンジ枢着されている（ｓｐｒｉｎｇ−ｈｉｎｇｅｄ）。
【００８９】
更に、ダイヤルニードルセレクターは、セレクターロッド３０毎に一つ設けられた複数のスラストレバー（ｔｈｒｕｓｔ  ｌｅｖｅｒ）３０８を有している。
【００９０】
スラストレバー３０８は可動性のもので、特に、カム５００と係合することの可能な係合位置と解除位置との間を揺動することができる。
【００９１】
更に、スラストレバー３０８は、セレクターロッド３０に作用する作動位置と非作動位置との間を中間レバー３０４に相対して放射方向にスライド移動する。
【００９２】
アクチュエーター３０２のコマンドに従って、幾つかのアクチュエーターレバー４０が中間レバー３０４に作用してそれらを下降させ、それにより、対応のスラストレバー３０８が下降させられて、セレクターカム５００によって作用をされることの可能な係合位置に移動する。
【００９３】
カム５００を回転させることにより、選択されたスラストレバー３０８、換言すると、下降されたスラストレバー３０８が、放射方向へ押し出されて、セレクターロッドに作用し、セレクターロッドは揺動して所望のダイヤルニードル１８を選択する。
【００９４】
アクチュエーター３０２は、シリンダー２の回転軸線Ｘ即ち縦軸に平行な駆動軸を有している。
【００９５】
有益なことに、所望のダイヤルニードル１８を選択するようにセレクターロッド３０を移動させるのに必要な動作は、カム５００が放射方向でそのような動作に接して、中間のセレクターロッド３０４に相対してスライドする一方、アクチュエーターレバー４０が軸線方向へ動くという点において、アクチュエーター３０２のアクチュエーターレバー４０に作用するようなものではない。
【００９６】
換言すると、セレクターカム５００は、それがスラストレバー３０８と係合した時に、セレクターロッド３０の動作に接する。
【００９７】
有益なことに、そのような構造は、アクチュエーターの歪を抑えることと移動の高レベルの反復可能性とを考慮に入れると、信頼性がある。
【００９８】
本発明に係る実施形態の別の変形例によれば、セレクターロッド３０は、軸線方向に伸びて互いに係合可能な少なくとも三つの部分に分割されている（図８）。
【００９９】
より詳述すると、セレクターロッド３０は、バネ付きヒンジ枢着されてアクチュエーター３０２のアクチュエーターレバー４０の作用下で揺動する上側部３２０と、上側部３２０の作用下で放射方向へ移動する中間部３２２と、バネ付きヒンジ枢着されて中間部３２２の作用下で揺動する下側部３２４を有している。
【０１００】
アクチュエーター３０２は、回転軸線Ｘと交差する駆動軸線Ｙ、例えば、回転軸線Ｘと直交する、即ち水平な駆動軸線Ｙを有している。
【０１０１】
セレクターは、軸線方向の移動中に中間部３２２と係合するようにセレクターロッド３０の放射方向外側に配置されたセレクターカム３２６を有している。
【０１０２】
アクチュエーターコマンドに従って、幾つかのアクチュエーターレバー４０がセレクターロッド３０、より詳述すると、セレクターロッドの上側部３２０に作用して、セレクターロッ３０の揺動を完了させる。その揺動に追従して、中間部３２２が、放射方向へ変位し、セレクターカム３２６によって係合されるのに好適な位置を占める。
【０１０３】
カム３２６が回転した時に、幾つかの中間部３２２がカム３２６によって係合されて、セレクターロッド３０の下側部３２４に向かって軸線方向へ並進させられる。
【０１０４】
下側部３２４と係合した中間部３２６が下側部３２４を揺動させ、従って、所望のダイヤルニードル１８に作用する。
【０１０５】
所望のダイヤルニードル１８を適所に維持させるために中間部３２２に及ぼされる軸線方向の移動操作は、カム３２６上に解放されて、カム３２６が中間部３２２と係合した時に、カム３２６は、中間部３２２の軸線方向の移動と当接する軸線方向の動きとして動作する。
【０１０６】
有益なことに、そのような構造は、アクチュエーターの歪を抑えることと移動の高レベルの反復可能性とを考慮に入れると、信頼性がある。
【０１０７】
更に有益なことに、下側部３２４は、限定された寸法に形成されていて、従って、僅かに変形し易いが、ダイヤルニードルの正確な移動を妨げない。
【０１０８】
本発明に係る実施形態の別の変形例によれば、セレクターは、三つの部分に分割されたセレクターロッド３０を有し、このセレクターロッドにおいては、中間部３２２が下側部３２４にヒンジで枢着されている（図９）。
【０１０９】
そのような変形例は、図８に示した変形例に類似しているが、下側部３２４が、機械的に付勢される限りにおいてより良好に戻り揺動することを確実にさせるように中間部３２２にヒンジで枢着されている点において図８に示した変形例と相違している。
【０１１０】
本発明に係る実施形態の別の変形例によれば、セレクターロッド３０は、軸線方向へ伸びた二つの個別の部分から構成されている（図１０）。
【０１１１】
より詳述すると、セレクターロッド３０は、水平な駆動軸線を備えたアクチュエーター３０２のアクチュエーターレバー４０によって係合されることの可能な上方位置と、下方位置との間を軸線方向にスライド自在な主部３３０を有している。
【０１１２】
その主部３３０は切欠き３３１を有している。
【０１１３】
セレクターロッド３０は、揺動して所望のダイヤルニードルと係合可能なバネ付きヒンジ枢着された下側部３３２を更に有している。
【０１１４】
更に、セレクターは、セレクターロッド３０の主部３３０の切欠き３３１と係合可能なセレクターカム３３４を有している。
【０１１５】
アクチュエーターコマンドに従って、主部３３０が変位して、切欠き３３１がセレクターカム３３４によって係合される位置を占めるようになる。
【０１１６】
回転によって、セレクターカム３３４が主部３３０に作用して、主部３３０を下側部３３２に作用させるのに十分下降させて、下側部３３２が揺動して選択されたダイヤルニードル１８を移動させる。
【０１１７】
本発明に係る実施形態の別の変形例によれば、セレクターは、ワンピースとして形成されたセレクターロッド３０と、ダイヤルの近傍に配置されたセレクターカム３５０を有している（図１１ａ及び図１１ｂ）。
【０１１８】
そのセレクターロッド３０は、下端のフット（ｆｏｏｔ）３５２と、バネ付きヒンジ枢着された長尺部３５４を有している。
【０１１９】
長尺部３５４は、上端部において、水平方向の駆動軸線を有するアクチュエーター３０２のアクチュエーターレバー４０と協働する。長尺部３５４は、下端部においてフット３５２に接続され、そのフット３５２は放射方向内側へ突出している。
【０１２０】
フット３５２はハンマー状に形成されて、ダイヤルニードル１８に作用することの可能なノーズ３５６を有している。
【０１２１】
更に、フット３５２は、例えば、長尺部３５４との接続部に、セレクターロッド３０の揺動のためにセレクターカム３５０と係合可能な切欠き３５８を有している。
【０１２２】
アクチュエーター３０２のコマンドに従って、幾つかのセレクターロッドが先ず揺動し、それ故、切欠き３５８がセレクターカム３５０によって係合されるのに好適な位置を占めるが、ノーズ３５６は、切欠き３５８との関係で放射方向後方に位置しているので、ダイヤルニードルからは依然として離間している。
【０１２３】
回転によって、セレクターカム３５０が切欠き３５８と係合し、ノーズ３５６が所望のダイヤルニードルに作用するように、セレクターロッドが先に揺動された方向と一致した方向にカム３５０によってセレクターロッドを揺動させる。
【０１２４】
換言すると、揺動セレクターロッドは、ダブル揺動を実施する。即ち、アクチュエーター３０２によって駆動される第一の揺動と、セレクターカム３５０によって駆動される第二の揺動である。
【０１２５】
切欠き３５８は、ノーズ３５６の基部近くに位置し、アクチュエーターレバー４０との係合領域からは離れた場所に位置していて、フット３５２がダイヤルニードルに作用した時にフット３５２の変形を規制する。
【０１２６】
有益なことに、セレクターロッドがダイヤルニードルに作用した時に、セレクターカム３５０が、ニードルによって齎される動きに対して放射方向で当接し、従って、そのような動きは、セレクターロッドの長尺部３５４及びアクチュエーターレバー４０へ伝達されない。
【０１２７】
有益なことに、本発明による編み機は、ステッチの形成における欠点又は瑕疵を規制又は克服することを可能にさせる。
【０１２８】
当業者が、付随的な及び特定の条件に適合させるように、上述した本発明に係る実施形態に対して様々な修正を加えることができ、そのような修正の全てが、本願発明によって保護される範囲内に含まれることは明らかである。
【図１】
2011528408.tif 000003
【図２】
2011528408.tif 000004
【図３】
2011528408.tif 000005
【図４ａ】
2011528408.tif 000006
【図４ｂ】
2011528408.tif 000007
【図４ｃ】
2011528408.tif 000008
【図４ｄ】
2011528408.tif 000009
【図４ｅ】
2011528408.tif 000010
【図４ｆ】
2011528408.tif 000011
【図５】
2011528408.tif 000012
【図６ａ】
2011528408.tif 000013
【図６ｂ】
2011528408.tif 000014
【図７ａ】
2011528408.tif 000015
【図７ｂ】
2011528408.tif 000016
【図８】
2011528408.tif 000017
【図９】
2011528408.tif 000018
【図１０】
2011528408.tif 000019
【図１１ａ】
2011528408.tif 000020
【図１１ｂ】
2011528408.tif 000021
【国際調査報告】
2011528408.tif 000022
2011528408.tif 000023